【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
一対一直接通信のためのＵＥ（User Equipment）であって、
他のＵＥから情報を含む要求を受信する受信部と、
前記受信した情報に基づき整合性のチェックを行い、当該チェックが通った場合に暗号鍵及び整合性鍵を用いて前記他のＵＥと前記一対一直接通信を行う制御部と、
を備えるＵＥ。
【請求項２】
前記情報は、セキュリティアルゴリズムを含む、請求項１記載のＵＥ。
【請求項３】
前記情報は、セキュリティ鍵の識別子を含む、請求項１記載のＵＥ。
【請求項４】
前記ＵＥ及び前記他のＵＥは、プロキシミティサービス（Ｐｒｏｘｉｍｉｔｙ  Ｓｅｒｖｉｃｅｓ（ＰｒｏＳｅ）をサポートする、請求項１記載のＵＥ。
【請求項５】
前記ＵＥ及び前記他のＵＥは、プロキシミティサービス（Ｐｒｏｘｉｍｉｔｙ  Ｓｅｒｖｉｃｅｓ（ＰｒｏＳｅ）ファンクション及びＰｒｏＳｅアプリケーションサーバを少なくとも含むネットワークからの承認を得る、請求項１記載のＵＥ。
【請求項６】
前記ＵＥ及び前記他のＵＥは、相互認証を行う、請求項１記載のＵＥ。
【請求項７】
一対多直接通信のためのＵＥ（User Equipment）であって、
ネットワークにおけるセキュリティアルゴリズムのチェックが成功した場合、前記ネットワークから情報を受信する受信部と、
暗号鍵を用いて、前記情報を受信した他のＵＥと前記一対多直接通信を行う制御部と、
を備えるＵＥ。
【請求項８】
前記情報は、グループのためのセキュリティ鍵を含む、請求項７記載のＵＥ。
【請求項９】
前記暗号鍵は、グループ鍵から導かれる、請求項７記載のＵＥ。
【請求項１０】
前記ＵＥ及び前記他のＵＥは、プロキシミティサービス（Ｐｒｏｘｉｍｉｔｙ  Ｓｅｒｖｉｃｅｓ（ＰｒｏＳｅ）をサポートする、請求項７記載のＵＥ。
【請求項１１】
前記ＵＥ及び前記他のＵＥは、プロキシミティサービス（Ｐｒｏｘｉｍｉｔｙ  Ｓｅｒｖｉｃｅｓ（ＰｒｏＳｅ）ファンクション及びＰｒｏＳｅアプリケーションサーバを少なくとも含む前記ネットワークからの承認を得る、請求項７記載のＵＥ。
【請求項１２】
前記ＵＥ及び前記他のＵＥは、グループを形成する、請求項７記載のＵＥ。
【請求項１３】
一対一直接通信のためのＵＥ（User Equipment）の通信方法であって、
他のＵＥから情報を含む要求を受信し、
前記受信した情報に基づき整合性のチェックを行い、
前記チェックが通った場合に暗号鍵及び整合性鍵を用いて前記他のＵＥと前記一対一直接通信を行う
通信方法。
【請求項１４】
前記情報は、セキュリティアルゴリズムを含む、請求項１３記載の通信方法。
【請求項１５】
前記情報は、セキュリティ鍵の識別子を含む、請求項１３記載の通信方法。
【請求項１６】
前記ＵＥ及び前記他のＵＥは、プロキシミティサービス（Ｐｒｏｘｉｍｉｔｙ  Ｓｅｒｖｉｃｅｓ（ＰｒｏＳｅ）をサポートする、請求項１３記載の通信方法。
【請求項１７】
前記ＵＥ及び前記他のＵＥは、プロキシミティサービス（Ｐｒｏｘｉｍｉｔｙ  Ｓｅｒｖｉｃｅｓ（ＰｒｏＳｅ）ファンクション及びＰｒｏＳｅアプリケーションサーバを少なくとも含むネットワークからの承認を得る、請求項１３記載の通信方法。
【請求項１８】
前記ＵＥ及び前記他のＵＥは、相互認証を行う、請求項１３記載の通信方法。
【請求項１９】
一対多直接通信のためのＵＥ（User Equipment）の通信方法であって、
ネットワークにおけるセキュリティアルゴリズムのチェックが成功した場合、前記ネットワークから情報を受信し、
暗号鍵を用いて、前記情報を受信した他のＵＥと前記一対多直接通信を行う
通信方法。
【請求項２０】
前記情報は、グループのためのセキュリティ鍵を含む、請求項１９記載の通信方法。
【請求項２１】
前記暗号鍵は、グループ鍵から導かれる、請求項１９記載の通信方法。
【請求項２２】
前記ＵＥ及び前記他のＵＥは、プロキシミティサービス（Ｐｒｏｘｉｍｉｔｙ  Ｓｅｒｖｉｃｅｓ（ＰｒｏＳｅ）をサポートする、請求項１９記載の通信方法。
【請求項２３】
前記ＵＥ及び前記他のＵＥは、プロキシミティサービス（Ｐｒｏｘｉｍｉｔｙ  Ｓｅｒｖｉｃｅｓ（ＰｒｏＳｅ）ファンクション及びＰｒｏＳｅアプリケーションサーバを少なくとも含む前記ネットワークからの承認を得る、請求項１９記載の通信方法。
【請求項２４】
前記ＵＥ及び前記他のＵＥは、グループを形成する、請求項１９記載の通信方法。
【手続補正２】
【補正対象書類名】明細書
【補正対象項目名】発明の名称
【補正方法】変更
【補正の内容】
【発明の名称】ＵＥ及びその通信方法
【手続補正３】
【補正対象書類名】明細書
【補正対象項目名】００１５
【補正方法】変更
【補正の内容】
【００１５】
ProSe 直接通信（Direct Communication）: 
任意のネットワークノード行き来しない経路を介したE-UTRAN技術を用いるユーザプレーン送信によって、ProSe可能な（ProSe-enabled）近接内の２以上のＵＥの間での通信。
【手続補正４】
【補正対象書類名】明細書
【補正対象項目名】００２５
【補正方法】変更
【補正の内容】
【００２５】
図２は、本発明の実施形態にかかるセキュア通信を行う方法を提供するシステムの例を示す模式図である。図２に示すように、システム１０は、ＵＥ１１、ＵＥ１２、E-UTRAN１３、ＥＰＣ１４、ProSe機能１５、ProSeアプリケーションサーバ１６、ProSeアプリケーション１７、及びProSeアプリケーション１８を備える。
【手続補正５】
【補正対象書類名】明細書
【補正対象項目名】００２６
【補正方法】変更
【補正の内容】
【００２６】
ＵＥ１１及びＵＥ１２は、ＰＣ５を介して通信可能であり、ＵＥ１１及びE-UTRAN１３は、LTE-Uu1を介して通信し、ＵＥ１２は、LTE-Uu2及びＰＣ３のそれぞれを介してE-UTRAN１３及びProSe機能１５と通信可能である。ＥＰＣ１４及びProSe機能１５は、ＰＣ４を介して通信可能であり、ProSeアプリケーションサーバ１６は、SG1及びＰＣ１のそれぞれを介してEPC１４及びProSeアプリケーション１８と通信可能であり、ProSe機能１５は、ＰＣ６を介して自身により通信可能である。
【手続補正６】
【補正対象書類名】明細書
【補正対象項目名】００２２
【補正方法】変更
【補正の内容】
【００２２】
ProSe通信に関わるＵＥ１１及び１２が異なるｅＮＢ１９、２０により提供され、ネットワークカバレッジが利用可能である場合、システム１００ｂは、図１Ｂに実線矢印により示されるように、ＵＥ１１、１２、ｅＮＢ１９及びＥＰＣ１４（例えば、セッション管理、承認、セキュリティ）の間で交換される制御情報を用いたProSe通信を実行することを決定できる。この構成において、ｅＮＢ１９及び２０は、図１ＢにｅＮＢ１９及び２０の間の破線矢印により示されるように、ＥＰＣ１４を介して互いに連携し、又は、無線リソース管理について直接通信できる。課金のために、シグナリングの修正が既存のアーキテクチャに関して最小化される。ＵＥ１１及び１２は、図１ＢにＵＥ１１及び１２の間の破線矢印により示されるように、ProSe通信経路を経由した制御シグナリングを併せて交換できる。
【手続補正７】
【補正対象書類名】明細書
【補正対象項目名】００８４
【補正方法】変更
【補正の内容】
【００８４】
各ケースにおいて、ProSeサーバ又は要求ＵＥ＿Ｌ０１のいずれかは、鍵を送信する。例えば、ProSeサーバは、要求ＵＥ＿Ｌ０１及び受信ＵＥ(群)Ｌ０３へ鍵Ｋｐを送信し、要求ＵＥ＿Ｌ０１は、セッションごとに受信ＵＥ＿Ｌ０３(群)へセッション鍵を送信する。あるいは、 ProSeサーバは、鍵Ｋｐ及びセッション鍵の両方を要求ＵＥ＿Ｌ０１及び受信ＵＥ（群）Ｌ０３へ送信し、又は、要求ＵＥ＿Ｌ０１は、鍵Ｋｐ及びセッション鍵の両方を受信ＵＥ（群）Ｌ０３へ送信する。
【手続補正８】
【補正対象書類名】明細書
【補正対象項目名】０１２０
【補正方法】変更
【補正の内容】
【０１２０】
１  セキュアシステム
１０  システム
１１  ＵＥ
１２  ＵＥ
１３  E-UTRAN
１４  EPC
１５  ProSe機能
１６  ProSe APPサーバ
１７  ProSe APP
１８  ProSe APP
１９  eNB
２０  eNB
２１  UEa
２２  UEb
３１  UEa
３２  UEb
３３  UEc
３３ｎ  UEn
３４  ProSeサーバ
３６  オペレータネットワーク
１００  UE
１００ａ  システム
１００ｂ  システム
２００  ネットワーク
Ｌ０１  要求ＵＥ
Ｌ０２  オペレータネットワーク
Ｌ０３  受信ＵＥ
Ｌ１  セキュアグループ管理
Ｌ２  セキュアディスカバリ
Ｌ３  初期承認
Ｌ４  認証
Ｌ５  承認
Ｌ６  セキュリティ接続確立
Ｌ７  セキュア通信
Ｌ８  ターミネーション
【手続補正９】
【補正対象書類名】図面
【補正対象項目名】図２
【補正方法】変更
【補正の内容】
【図２】
2016523459.tif 000001